(57)【要約】  人工芝の異なる高さと輪郭を持つ二つの打撃輪郭を持ち、クラブヘッドがパイルを通って移動するときゴルフクラブに抵抗を付与するこの輪郭付与されたパイルを通してゴルフクラブをスイングすることによりゴルファーに練習と運動を与え、かくして体力を強化しかつ筋肉記憶を改善するゴルフ練習及び運動マット。アイアンのための一つの輪郭は適度に曲がった上向き勾配で頂点まで高さが増え、次いでゆるやかな直線状下向き勾配で高さが減るカーペットの芝パイルを持つ。ウッドのための第二輪郭は転換点に到達するまでゆるやかな略直線状勾配で高さが増える芝パイルを持ち、転換点で芝房の高さが一段階変化で先のパイルの高さの少なくとも２倍以上の高さに増え、次いで直線状下向き勾配で高さが減る。【選択図】  図４
2004216155.tif 000002
【特許請求の範囲】
【請求項１】
上向き勾配を持つパイルに続く下向き勾配を持つパイルを持つ少なくとも一つの輪郭付与された打撃表面を含むことを特徴とするゴルフ練習及び運動マット。
【請求項２】
上向き勾配を持つパイルが曲がった適度に険しい勾配を持ち、下向き勾配を持つパイルがゆるやかな略直線状勾配を持ち、上向き勾配を持つパイルと下向き勾配を持つパイルが頂点で会合することを特徴とする請求項１に記載のゴルフ練習及び運動マット。
【請求項３】
上向き勾配を持つパイルが頂点においてアイアンクラブヘッドのフェースを完全に包むのに十分な高さであることを特徴とする請求項２に記載のゴルフ練習及び運動マット。
【請求項４】
上向き勾配を持つパイルがゆるやかな略直線状勾配を持ち、下向き勾配を持つパイルがゆるやかな略直線状勾配を持ち、上向き勾配を持つパイルと下向き勾配を持つパイルが転換点で会合し、この転換点で下向き勾配を持つパイルが上向き勾配を持つパイルの高さの少なくとも２倍以上の高さを持つことを特徴とする請求項１に記載のゴルフ練習及び運動マット。
【請求項５】
下向き勾配を持つパイルが転換点で上向き勾配を持つパイルの高さの３から５倍以上の高さを持つことを特徴とする請求項４に記載のゴルフ練習及び運動マット。
【請求項６】
下向き勾配を持つパイルが転換点においてウッドタイプクラブヘッドのフェースを完全に包むのに十分な高さであることを特徴とする請求項４に記載のゴルフ練習及び運動マット。
【請求項７】
少なくとも一つの輪郭付与された打撃表面が、アイアンクラブで打つための曲がった適度に険しい勾配を持つ上向き勾配を持つパイルとゆるやかな略直線状勾配を持つ下向き勾配を持つパイルとを持つ輪郭を含み、上向き勾配を持つパイルと下向き勾配を持つパイルが頂点で会合し、かつウッドタイプクラブで打つためのゆるやかな略直線状勾配を持つ上向き勾配を持つパイルとゆるやかな略直線状勾配を持つ下向き勾配を持つパイルとを持つ輪郭を含み、上向き勾配を持つパイルと下向き勾配を持つパイルが転換点で会合し、この転換点で下向き勾配を持つパイルが上向き勾配を持つパイルの高さの少なくとも２倍以上の高さを持つことを特徴とする請求項１に記載のゴルフ練習及び運動マット。
【請求項８】
マットがいずれかの輪郭に沿ってゴルフクラブをスイングするためのスタンスをゴルファーが取ることができる部分を含むことを特徴とする請求項７に記載のゴルフ練習及び運動マット。
【請求項９】
高さを変えた芝パイルにより作られた異なる輪郭を持つ複数の打撃領域を持つ人工芝のカーペットを含むことを特徴とするゴルフ練習及び運動マット。
【請求項１０】
第一打撃領域が第一部分、第二部分及び第三部分を持ち、第一部分が第一高さの芝パイルを持ち、第二部分が第一高さから第二高さに漸増する芝パイルを持ち、かつ第三部分が第二高さから減少する芝パイルを持つことを特徴とする請求項９に記載のゴルフ練習及び運動マット。
【請求項１１】
第二部分の芝パイルが曲がった上向き勾配で漸増することを特徴とする請求項１０に記載のゴルフ練習及び運動マット。
【請求項１２】
第三部分の芝パイルが略直線状の下向き勾配で減少することを特徴とする請求項１０に記載のゴルフ練習及び運動マット。
【請求項１３】
第二打撃領域が第一部分と第二部分を持つことを特徴とする請求項９に記載のゴルフ練習及び運動マット。
【請求項１４】
第二部分と第一部分との間の界面が垂直転換であることを特徴とする請求項１３に記載のゴルフ練習及び運動マット。
【請求項１５】
第一部分が第一高さから第二高さに漸増する芝パイルを持ち、第二部分が第三高さから減少する芝パイルを持ち、第三高さが第二高さより大きいことを特徴とする請求項１３に記載のゴルフ練習及び運動マット。
【請求項１６】
第二打撃領域の第二部分の第三高さの芝パイルが第二打撃領域の第一部分の第二高さの芝パイルの少なくとも２倍以上であることを特徴とする請求項１５に記載のゴルフ練習及び運動マット。
【請求項１７】
第三高さの芝パイルが第二高さの芝パイルの約３から５倍以上であることを特徴とする請求項１５に記載のゴルフ練習及び運動マット。
【請求項１８】
第二打撃領域の第一部分の芝パイルが略直線状の上向き勾配で第一高さから第二高さに増え、第二打撃領域の第二部分の芝パイルが略直線状の下向き勾配で第三高さから減少することを特徴とする請求項１５に記載のゴルフ練習及び運動マット。
【請求項１９】
練習マットが二つの打撃領域とゴルファーがゴルフクラブをスイングするためにスタンスを取ることができる場所とを収容するのに十分な大きさであることを特徴とする請求項９に記載のゴルフ練習及び運動マット。
【請求項２０】
芝パイルの高さが約２インチと約８インチの間であることを特徴とする請求項９に記載のゴルフ練習及び運動マット。
【請求項２１】
高さを変えた芝パイルにより作られた異なる輪郭を持つ複数の打撃領域を持つ人工芝の下部カーペット；
高さを変えたパイルにより作られた異なる輪郭を持つ上部カーペット；及び
上部カーペットを下部カーペットに関して垂直に間隔を置いた関係で維持するための支持構造；
を含むゴルフ練習及び運動マットであって、上部カーペットのパイルが下部カーペットのパイルと交差するように下向きに配向され、カーペットパイルの増加した密度の領域を形成することを特徴とするゴルフ練習及び運動マット。
【請求項２２】
支持構造が水平脚と垂直脚を持つＬ−形状をしており、上部カーペットが垂直脚に取り付けられていることを特徴とする請求項２１に記載のゴルフ練習及び運動マット。
【発明の詳細な説明】
【発明の詳細な説明】
【０００１】
発明の分野
本発明はゴルファーがアイアンまたはウッドを用いてゴルフスイングを練習することができ、かつクラブがマットのパイルを通って移動するときクラブヘッドに対して抵抗を及ぼすことによりゴルファーに体力を強化する運動を与えるゴルフ練習及び運動マットに関する。
【０００２】
発明の背景
練習用ゴルフマットは一般的に知られており、例えば米国特許３４５９１０７号は米国特許５３５４０６４号のようにゴルフコースの“ラフ”からゴルフボールを打つことをシミュレートするゴルフ打撃マットを開示する。これらの従来のマットはゴルファーが“ラフ”から打つ練習をすることを可能とするが、これらの構造は運動目的のために強化された抵抗を提供しないし、異なるクラブを使用するための輪郭の選択を提供しない。
【０００３】
米国特許３４１４２６６号に開示されたような他のマットはマット上のパイルの高さを変えることを提供し、それは芝の高さの異なるグリーン上のゴルフボールのころがりをシミュレートするために三つの良く規定されたパイルの高さを持つパッティング練習のためのマットを教示する。米国特許５６５５９７４号はゴルフコース表面、例えばフェアウエー、ラフ及び砂地を高さと密度によりシミュレートする複数の領域を持つゴルフ練習表面装置を教示する。これらの従来のマットはマット上に載るボールをゴルフクラブで打撃するときの芝の感覚と抵抗に関して幾らかの相違をゴルファーに与える。
【０００４】
また米国特許４２９４４５０号、５０４６７４１号及び５４４３８７０号のような特別な練習マットがある。これらの構造はパッティングを練習するためのまたは傾斜斜面上のボールを打つためのマットを開示する。
【０００５】
しかし、従来技術のいずれもゴルフクラブを最初の低い高さの中に打ち込み、上向き勾配を持つ輪郭を通してかつ続く下向き勾配を持つ輪郭を通して出すようにスイングするための輪郭付与されたマット形状を開示しない。
【０００６】
発明の目的及び概要
本発明の目的はゴルフクラブを、クラブヘッドが輪郭付与されたパイルを通して移動するときにゴルフクラブに抵抗を付与するように輪郭付与されたパイルを通してスイングすることによりゴルファーに練習及び運動を与えるマットを提供することである。
【０００７】
本発明の更なる目的はボールをアイアンまたはウッドタイプのクラブで打つときに経験する現実的な感覚と抵抗を一つの練習マット上でゴルファーに提供することである。
【０００８】
基本的に、本発明のマットは高さが上向き勾配を持つ勾配で頂点まで増え、それに続いて芝パイルの高さが徐々に略直線状に下向き勾配で減少する人工芝パイルまたは同様な材料の少なくとも一つの打撃表面を持つ。この輪郭はクラブが漸増的に高くなる芝を通して動くときゴルファーに増大する抵抗を経験させる。これはゴルファーがゴルフボールを打つときゴルフクラブにより通常追従される経路に沿って芝の高さが増える練習マットに関してゴルファーに通常のスタンスを取らせることにより達成される。ゴルファーが典型的なスイングとフォロースルーを実施するとき、ゴルフクラブのヘッドは最初に最初の低いパイルの上をスイープし、次いでクラブがパイルの上向き勾配を通して頂点まで移動するときパイルの増加する高さに出会い、頂点でクラブヘッドは芝パイル内に完全に包まれ、そしてクラブヘッドが完全に自由となるまで芝パイルから徐々に現れる。
【０００９】
本発明のマットの一つの好適実施例は人工芝パイルまたは同様材料の異なる輪郭を持つ二つの打撃領域を持つ単一構造である。説明の目的のために、字句“人工芝”は人工芝及び他の同様な材料を包含する。アイアンで使用される一つの打撃領域は、ゆるやかな上向きに曲がった勾配で頂点まで高さが増え、頂点に続いて芝房の高さが徐々に略直線状に下向き勾配で減少する人工芝のパイルを持つ。本発明のマットの第二打撃領域は、ウッドタイプのクラブで練習するためである。それは芝パイルの高さが徐々に略直線状に上向きに傾斜した勾配で転換点まで増え、転換点で芝パイルの高さが段階的変化で転換高さが
先の芝パイルの高さを少なくとも２倍だけ越えるように増え、次いで直線状に下向き勾配で減少する芝パイル輪郭を持つ。ゴルファーがウッドタイプのクラブをスイングするとき、クラブヘッドのフェースが高さの段階的変化に出会い、それによりクラブヘッドのフェースが芝パイル中に包まれ従って直ちにゴルファーによって感じられる抵抗を増やす。ゴルファーがスイングを通してフォロースルーまで続けるとき、クラブヘッドは徐々に下向き勾配に沿って芝パイルから出て、対応してゴルファーにより感じられる抵抗を減らす。
【００１０】
本発明の好適実施例はゴルファーにより感じられる抵抗を増やすように対向する輪郭を付与されたパイルの使用である。この実施例はアイアン及びウッドタイプのゴルフクラブのために上で説明された領域と同様の輪郭付与された打撃領域を持つベースマットを含む。このベースマットに取り付けられて上向きに延びるのは支持構造である。この支持構造は垂直脚と水平脚を持つＬ−形状をしている。水平脚はベースマットに対向しており、垂直脚は水平脚とベースマットを垂直方向に間隔を置いた関係に維持する。水平脚はベースマットの一部の上に延びる。突出表面が水平脚に取り付けられ、ベースマットに向けて配向されている。突出表面はベースマットの輪郭付与された打撃領域に向けて下向きに延びる輪郭付与されたパイルを含む。突出表面とベースマットの中間点で、輪郭付与された打撃領域の一部が突出表面の輪郭付与されたパイルの一部と重複し、従ってこれら二つの部分がかみ合い、かくしてクラブヘッドがかみ合った部分と係合するとき増大した抵抗がゴルファーにより経験される。
【００１１】
本発明の更なる詳細、特徴及び利点は添付図面に関する例示的実施例の以下の開示から理解されるであろう。
【００１２】
図面の簡略説明
図１は打撃領域とこの打撃領域に関してゴルファーの位置と向きを示す本発明のマットの平面図である。
【００１３】
図２は図１の線２−２に沿って見たアイアン打撃領域の垂直断面である。
【００１４】
図３は図２の線３−３に沿って見たアイアン打撃領域の垂直断面である。
【００１５】
図４はゴルフクラブがゴルファーによりスイングされたときの輪郭の頂点のアイアンゴルフクラブヘッドのフェースとマットとの相互作用を示す図２に示されたものと同様の図である。
【００１６】
図５はゴルファーがゴルフスイングのフォロースルーを続けるときにゴルフクラブが輪郭の下向き勾配に沿って芝パイルを出るときのアイアンゴルフクラブヘッドのマットの芝パイルとの相互作用を示す図２に示されたものと同様の図である。
【００１７】
図６はゴルファーがゴルフスイングのフォロースルーを完了するときのゴルフクラブが芝パイルを出た後のアイアンゴルフクラブヘッドとマットの芝パイルとの相互作用を示す図２に示されたものと同様の図である。
【００１８】
図７は図１の線７−７に沿って見たウッドタイプクラブのための打撃領域の垂直断面である。
【００１９】
図８は図７の線８−８に沿って見たウッドタイプクラブのための打撃領域の垂直断面である。
【００２０】
図９はゴルフクラブがゴルファーによりスイングされるときの輪郭の垂直転換点でのウッドタイプクラブヘッドのフェースと芝パイルとの相互作用を示す図７に示されたものと同様の図である。
【００２１】
図１０はゴルファーがゴルフスイングのフォロースルーを続けるときのゴルフクラブが輪郭の下向き勾配に沿ってマットの芝パイルを出るときのウッドタイプクラブヘッドのマットとの相互作用を示す図７に示されたものと同様の図である。
【００２２】
図１１はゴルファーがゴルフスイングのフォロースルーを完了するときのゴルフクラブがマットの芝パイルを出た後のウッドタイプゴルフクラブヘッドのマットとの相互作用を示す図７に示されたものと同様の図である。
【００２３】
図１２は対向する輪郭付与されたパイルと、対向する輪郭付与されたパイル間の間隔を置いた関係を維持する支持構造とを示す本発明のゴルフ練習装置の分解立面図である。
【００２４】
図１３はウッドタイプゴルフクラブのための打撃領域を持つベースマットを示す図１２に示されたものと同様の立面図である。
【００２５】
図１４は図１３の線１４−１４に沿って見たゴルフ練習装置の垂直断面である。
【００２６】
図１５はゴルフクラブがゴルファーによりスイングされるときのベースマット輪郭の垂直転換点でのウッドタイプクラブヘッドのフェースの対向する輪郭付与されたパイルとの相互作用を示す図１３に示されたものと同様の図である。
【００２７】
図１６はゴルファーがゴルフスイングのフォロースルーを続けるときのゴルフクラブがベースマット輪郭の下向き勾配に沿ってマットの芝パイルを出るときのウッドタイプゴルフクラブヘッドの対向する輪郭付与されたパイルとの相互作用を示す図１３に示されたものと同様の図である。
【００２８】
図１７はゴルファーがゴルフスイングのフォロースルーを完了するときのゴルフクラブが対向する輪郭付与されたパイルを出た後のウッドタイプゴルフクラブヘッドのマットとの相互作用を示す図１３に示されたものと同様の図である。
【００２９】
図１８はゴルフクラブがゴルファーによりスイングされるときのベースマットの輪郭の頂点でのアイアンゴルフクラブヘッドのフェースの対向する輪郭付与されたパイルとの相互作用を示す図２に示されたものと同様の図である。
【００３０】
図１９はゴルファーがゴルフスイングのフォロースルーを続けるときのゴルフクラブがベースマット輪郭の下向き勾配に沿ってベースマット輪郭を出るときのアイアンゴルフクラブヘッドの対向する輪郭付与されたパイルとの相互作用を示す図１８に示されたものと同様の図である。
【００３１】
図２０はゴルファーがゴルフスイングのフォロースルーを完了するときのゴルフクラブがベースマット輪郭を出た後のアイアンゴルフクラブヘッドの対向する輪郭付与されたパイルとの相互作用を示す図１８に示されたものと同様の図である。
【００３２】
図２１は対向するパイルの平坦な輪郭を示すゴルフ練習装置の立面図である。
【００３３】
図２２は図２１の線２２−２２に沿って見たときの網の目にかみ合った対向する輪郭付与されたパイルの配置を示す水平断面である。
【００３４】
図２３は図２１に示された装置の対向する輪郭付与されたパイルの網の目にかみ合った状況を示す垂直断面である。
【００３５】
好適実施例の詳細な説明
図１に示されたゴルフ練習マット１０はアイアン打撃領域２０、ウッド打撃領域３０及びいずれかの打撃領域を用いてゴルファーがゴルフスイングを練習するために彼自身をその上に位置させることができるゴルファースタンス位置４０を含むのに十分な面積を持つ人工芝マットを含む。ゴルフ練習マット１０はアイアン打撃領域２０とウッド打撃領域３０に変化する芝パイル高さの人工芝カーペットを持つ。芝パイルは標準基材４５に固定され、この基材はまたゴルフ練習マット１０が使用されるとき床または地面上に載る。ゴルファースタンス位置４０はアイアン打撃領域２０及びウッド打撃領域３０に関するゴルファーの適切な向きを示す。
【００３６】
アイアン打撃領域２０は図２−６に示されるように輪郭付与されている。短い芝パイルがアイアン打撃領域２０の第一部分２４のために延びる。一連の増大的に高くなる芝パイルがアイアン打撃領域２０の第二部分２２に沿って延び、その相対的増大度は曲がった適度な険しさの上向き勾配に順応する。アイアン打撃領域２０の第三部分２６は第二部分２２の頂点で始まり、徐々に略直線状に芝パイル高を減少する勾配を持つ。好適実施例において、芝パイルは第二部分２２の頂点で最大高さが発生するように約２インチから約８インチまでの高さで変化する。
【００３７】
ウッド打撃領域３０は図７−１１に示すように輪郭付与されている。芝パイルはウッド打撃領域３０の第一部分３５に対しては略直線状に徐々に上向きに傾斜した勾配で略２倍の高さまで延びる。ウッド打撃領域３０の第一部分３５に直ぐ続く第二部分３３は第一部分３５のより長い芝パイルの高さを少なくとも２倍、好ましくは約３から５倍の間で越える高さの最初の芝パイルを持ち、かくして第一部分３５と第二部分３３との間に垂直段階的変化転換点３３ａを作る。垂直転換点３３ａの後で、ウッド打撃領域の第二部分３３の芝パイルは徐々に略直線状に下向き勾配で減少する。好適実施例では、芝パイルは垂直転換点３３ａで最大高さが発生するように約２インチから約８インチの高さで変化する。
【００３８】
本発明は次の方法で用いられる。ゴルファーはアイアンクラブ２８またはウッドタイプクラブ３８のいずれかを持ってゴルファースタンス位置４０のゴルフ練習マット１０上に位置する。図１はアイアン打撃領域２０及びウッド打撃領域３０に関するゴルファーの位置を示す。図４から６において、ゴルファーはアイアン２８で練習している。ゴルファーがアイアン２８を矢印の方向にスイングするとき、アイアン２８のヘッド２９はヘッド２９のフェース２９ａに沿ってアイアン打撃領域２０の第二部分２２と係合する。ゴルファーがアイアン２８のスイングを続けるとき、クラブのヘッド２９は第二部分２２の増大的に高くなる芝パイルを通って移動を続け、それによりアイアン２８のヘッド２９のフェース２９ａに対して働く抵抗を増大し、対応的にゴルファーにより感じられる抵抗を増やす。クラブヘッドが第二部分２２の頂点近くにあるとき、クラブヘッドのフェースは図４に示されるように完全に芝パイルにより包まれる。ゴルファーが図５に示されるようにスイングを続けるとき、アイアンのヘッドはアイアン打撃領域２０の第三部分２６の芝パイルを出始める。最後に、ゴルファーがスイングすなわちフォロースルーを完了するとき、アイアン２８のヘッド２９は図６に示されるように、アイアン打撃領域２０の第三部分２６の芝パイルからの係合を完全に外れる。
【００３９】
図９から１１において、ゴルファーはウッドタイプクラブ３８を練習している。ゴルファーが矢印の方向にウッドタイプクラブ３８をスイングするとき、ウッドタイプクラブ３８のヘッド３９は図９に示されるように、ヘッド３９のフェース３９ａに沿ってウッド打撃領域３０の垂直転換点３３ａで第二部分３３と係合する。ゴルファーがスイングを続けるとき、クラブヘッド３９のフェースは第二部分３３の芝パイルにより完全に包まれることとなり、クラブヘッド３９のフェース３９ａに対して増大した抵抗を与える。ゴルファーがスイングを続けるとき、クラブヘッド３９は徐々に減少する高さの第二部分の芝パイルから出て、それがウッドタイプクラブ３８のヘッド３９のフェース３９ａに対して及ぼされる抵抗を減少し、図１０に示されるように、ゴルファーにより感じられる抵抗を対応して減少する。ゴルファーがスイングを完了するとき、ヘッド３９は図１１に示されるように、ウッド打撃領域３０の第二部分３３の芝パイルを完全に出る。
【００４０】
本発明の代替好適実施例は練習ゴルフマット１０を支持構造６０と結合し、この支持構造はアイアン打撃領域２０とウッド打撃領域３０の一部に渡って一般的に下向きに延びる輪郭付与されたパイルを配置し、アイアン及びウッド打撃領域２０，３０の芝パイルは図１２−２３に示されるように、練習ゴルフマット１０に関して垂直に間隔を置いて保持された対向する輪郭付与されたパイルの一部と交差しかつかみ合う。図１４に見えるように、支持構造６０は垂直脚６２と水平脚６４を持つＬ−形状をしている。ゴルフ練習マット１０は水平脚６４に対向して垂直脚６２に取り付けられ、垂直脚６２はゴルフ練習マット１０と支持構造６０の水平脚６４との間の垂直間隔を維持する。上部カーペット７５が図１４と２１に示されるように、支持構造６０の水平脚６４に取り付けられ、ゴルフ練習マット１０のアイアン打撃領域２０とウッド打撃領域３０に向けられている。上部カーペット７５は人工芝または同様な材料から構成される。上部カーペット７５のパイルは図１５と１８に示されるように、アイアン及びウッド打撃領域２０，３０の芝パイルと交差しかつかみ合うのに十分な長さのものであり、図２２に示すように、上部カーペット７５のパイルとゴルフ練習マット１０のパイルの交差部でかみ合った領域７９の芝房の密度を顕著に増やす。芝房の増大した密度はゴルフクラブをこのかみ合った領域７９を通してスイングするときゴルファーにより感じられる抵抗の増加をもたらす。
【００４１】
本発明の代替実施例は次の方法で用いられる。ゴルファーはアイアンクラブ２８またはウッドタイプクラブ３８のいずれかを持って、ゴルファースタンス位置４０のゴルフ練習マット１０上に位置する。図１８−２０ではゴルファーはアイアン２８で練習している。ゴルファーが矢印の方向にアイアン２８をスイングするとき、アイアン２８のヘッド２９はまずアイアン打撃領域２０の第二部分２２を含むかみ合っていない領域と係合し、かつヘッド２９のフェース２９ａに沿った上部カーペット７５のパイルと係合する。ゴルファーがスイングを続けるとき、クラブのヘッド２９は第二部分２２の増大的に高くなる芝パイルを通して移動し続け、それによりアイアン２８のヘッド２９のフェース２９ａに対して働く抵抗を増やし、対応してゴルファーにより感じられる抵抗を増やす。クラブヘッド２９が第二部分２２の頂点に近くなると、クラブのヘッドは第二部分２２と上部カーペット７５のパイルを含むかみ合った領域７９と係合し、そこではクラブヘッド２９のフェース２９ａは図１８に示すようにかみ合った領域７９により完全に包まれる。ゴルファーが図１９に示すようにスイングを続けるとき、アイアン２８のヘッド２９はアイアン打撃領域２０の第三部分２６に沿ってかみ合った領域７９を出始める。最後に、ゴルファーがスイング、すなわちフォロースルーを完了するとき、アイアン２８のヘッド２９は図２０に示すようにアイアン打撃領域２０の第三部分２６の芝パイルからの係合を完全に外れる。
【００４２】
図１５から１７において、ゴルファーはウッドタイプクラブ３８を練習している。ゴルファーが矢印の方向にウッドタイプクラブ３８をスイングするとき、ウッドタイプクラブ３８のヘッド３９は図１５に示すように、ウッド打撃領域３０の垂直転換点３３ａの第二部分３３とヘッド３９のフェース３９ａに沿った上部カーペット７５とを含むかみ合った領域７９と係合する。ゴルファーがスイングを続けるとき、クラブヘッド３９のフェース３９ａは第二部分３３の芝パイルと上部カーペット７５のパイルとのかみ合った領域７９により完全に包まれるようになり、クラブヘッド３９のフェース３９ａに対して増大した抵抗を与える。スイングが続けられるとき、クラブヘッド３９は徐々に図１６に示されるようにかみ合った領域７９から出る。ゴルファーがスイングを完了するとき、ヘッド３９は図１７に示すようにウッド打撃領域３０の第二部分３３の芝パイルからの係合を完全に外れる。
【００４３】
従って当業者は本発明が広範な利用と応用を可能とすることは容易に理解されるであろう。ここに述べられた以外の本発明の多くの実施例と改造並びに変更、修正及び均等装置が本発明及びその先の説明から本発明の要旨または範囲から逸脱することなく明らかでありまたは妥当に示唆されるであろう。従って、本発明がその好適実施例に関してここに詳細に述べられたけれども、この開示は本発明の例示及び典型としてのみであり、単にこの発明の完全なかつ可能な開示を提供する目的のためになされたことは理解されるべきである。先の開示は本発明を限定すること、またそうでないとしても如何なるそのような他の実施例、改造、変更、修正及び均等装置も排除することを意図しておらずまたはそう解釈されるべきでなく、本発明はここに添付された請求の範囲及びその均等物によってのみ限定される。
【図面の簡単な説明】
【００４４】
【図１】打撃領域とこの打撃領域に関してゴルファーの位置と向きを示す本発明のマットの平面図である。
【図２】図１の線２−２に沿って見たアイアン打撃領域の垂直断面である。
【図３】図２の線３−３に沿って見たアイアン打撃領域の垂直断面である。
【図４】ゴルフクラブがゴルファーによりスイングされたときの輪郭の頂点のアイアンゴルフクラブヘッドのフェースとマットとの相互作用を示す図２に示されたものと同様の図である。
【図５】ゴルファーがゴルフスイングのフォロースルーを続けるときにゴルフクラブが輪郭の下向き勾配に沿って芝パイルを出るときのアイアンゴルフクラブヘッドのマットの芝パイルとの相互作用を示す図２に示されたものと同様の図である。
【図６】ゴルファーがゴルフスイングのフォロースルーを完了するときのゴルフクラブが芝パイルを出た後のアイアンゴルフクラブヘッドとマットの芝パイルとの相互作用を示す図２に示されたものと同様の図である。
【図７】図１の線７−７に沿って見たウッドタイプクラブのための打撃領域の垂直断面である。
【図８】図７の線８−８に沿って見たウッドタイプクラブのための打撃領域の垂直断面である。
【図９】ゴルフクラブがゴルファーによりスイングされるときの輪郭の垂直転換点でのウッドタイプクラブヘッドのフェースと芝パイルとの相互作用を示す図７に示されたものと同様の図である。
【図１０】ゴルファーがゴルフスイングのフォロースルーを続けるときのゴルフクラブが輪郭の下向き勾配に沿ってマットの芝パイルを出るときのウッドタイプクラブヘッドのマットとの相互作用を示す図７に示されたものと同様の図である。
【図１１】ゴルファーがゴルフスイングのフォロースルーを完了するときのゴルフクラブがマットの芝パイルを出た後のウッドタイプゴルフクラブヘッドのマットとの相互作用を示す図７に示されたものと同様の図である。
【図１２】対向する輪郭付与されたパイルと、対向する輪郭付与されたパイル間の間隔を置いた関係を維持する支持構造とを示す本発明のゴルフ練習装置の分解立面図である。
【図１３】ウッドタイプゴルフクラブのための打撃領域を持つベースマットを示す図１２に示されたものと同様の立面図である。
【図１４】図１３の線１４−１４に沿って見たゴルフ練習装置の垂直断面である。
【図１５】ゴルフクラブがゴルファーによりスイングされるときのベースマット輪郭の垂直転換点でのウッドタイプクラブヘッドのフェースの対向する輪郭付与されたパイルとの相互作用を示す図１３に示されたものと同様の図である。
【図１６】ゴルファーがゴルフスイングのフォロースルーを続けるときのゴルフクラブがベースマット輪郭の下向き勾配に沿ってマットの芝パイルを出るときのウッドタイプゴルフクラブヘッドの対向する輪郭付与されたパイルとの相互作用を示す図１３に示されたものと同様の図である。
【図１７】ゴルファーがゴルフスイングのフォロースルーを完了するときのゴルフクラブが対向する輪郭付与されたパイルを出た後のウッドタイプゴルフクラブヘッドのマットとの相互作用を示す図１３に示されたものと同様の図である。
【図１８】ゴルフクラブがゴルファーによりスイングされるときのベースマットの輪郭の頂点でのアイアンゴルフクラブヘッドのフェースの対向する輪郭付与されたパイルとの相互作用を示す図２に示されたものと同様の図である。
【図１９】ゴルファーがゴルフスイングのフォロースルーを続けるときのゴルフクラブがベースマット輪郭の下向き勾配に沿ってベースマット輪郭を出るときのアイアンゴルフクラブヘッドの対向する輪郭付与されたパイルとの相互作用を示す図１８に示されたものと同様の図である。
【図２０】ゴルファーがゴルフスイングのフォロースルーを完了するときのゴルフクラブがベースマット輪郭を出た後のアイアンゴルフクラブヘッドの対向する輪郭付与されたパイルとの相互作用を示す図１８に示されたものと同様の図である。
【図２１】対向するパイルの平坦な輪郭を示すゴルフ練習装置の立面図である。
【図２２】図２１の線２２−２２に沿って見たときの網の目にかみ合った対向する輪郭付与されたパイルの配置を示す水平断面である。
【図２３】図２１に示された装置の対向する輪郭付与されたパイルの網の目にかみ合った状況を示す垂直断面である。
【図１】
2004216155.tif 000003
【図２】
2004216155.tif 000004
【図３】
2004216155.tif 000005
【図４】
2004216155.tif 000006
【図５】
2004216155.tif 000007
【図６】
2004216155.tif 000008
【図７】
2004216155.tif 000009
【図８】
2004216155.tif 000010
【図９】
2004216155.tif 000011
【図１０】
2004216155.tif 000012
【図１１】
2004216155.tif 000013
【図１２】
2004216155.tif 000014
【図１３】
2004216155.tif 000015
【図１４】
2004216155.tif 000016
【図１５】
2004216155.tif 000017
【図１６】
2004216155.tif 000018
【図１７】
2004216155.tif 000019
【図１８】
2004216155.tif 000020
【図１９】
2004216155.tif 000021
【図２０】
2004216155.tif 000022
【図２１】
2004216155.tif 000023
【図２２】
2004216155.tif 000024
【図２３】
2004216155.tif 000025
【外国語明細書】
2004216155.tif 000026
2004216155.tif 000027
2004216155.tif 000028
2004216155.tif 000029
2004216155.tif 000030
2004216155.tif 000031
2004216155.tif 000032
2004216155.tif 000033
2004216155.tif 000034
2004216155.tif 000035
2004216155.tif 000036
2004216155.tif 000037
2004216155.tif 000038
2004216155.tif 000039
2004216155.tif 000040
2004216155.tif 000041
2004216155.tif 000042
2004216155.tif 000043
2004216155.tif 000044
2004216155.tif 000045
2004216155.tif 000046
2004216155.tif 000047
2004216155.tif 000048
2004216155.tif 000049
2004216155.tif 000050
2004216155.tif 000051
2004216155.tif 000052
2004216155.tif 000053
2004216155.tif 000054
2004216155.tif 000055
2004216155.tif 000056
2004216155.tif 000057
2004216155.tif 000058
2004216155.tif 000059